(57)【要約】      （修正有）【課題】電子機器のＦＰＣＢ(Ｆｌｅｘｉｂｌｅ  Ｐｒｉｎｔｅｄ  Ｃｉｒｃｕｉｔ  Ｂｏａｒｄ)において、ＦＰＣＢに提供されたコネクタを結合する時に発生する力により折り畳まれるように折り畳み部を構成した電子機器のＦＰＣＢに関する。【解決手段】印刷回路基板上に具備された回路基板コネクタと電気的に連結している回路側コネクタ４１を備えたＦＰＣＢ４０からなる電子機器のＦＰＣＢ４０において、前記回路側コネクタ４１には第１及び第２圧着部１００、２００が具備され、前記第１及び第２圧着部１００、２００間の境界面には前記回路基板コネクタに前記回路側コネクタ４１を結合する時に発生する力により、前記圧着部のメッキ境界面７０の代わりに折り畳まれるように折り畳み部３００が設けられていることを特徴とする。【選択図】図７
2006344950.tif 000002
【特許請求の範囲】
【請求項１】
印刷回路基板上に具備された回路基板コネクタと電気的に連結している回路側コネクタを備えたＦＰＣＢからなる電子機器のＦＰＣＢにおいて、
前記回路側コネクタには、第１及び第２圧着部が具備され、
前記第１及び第２圧着部間の境界面には、前記回路基板コネクタに前記回路側コネクタを結合する時に発生する力により、前記圧着部のメッキ境界面の代わりに折り畳まれるように折り畳み部が設けられていることを特徴とする電子機器のＦＰＣＢ。
【請求項２】
前記折り畳み部には、前記回路側コネクタを結合する時に折り畳み可能であるように折り畳み空間が形成され、
前記折り畳み空間の形状は、曲げられて階段状にされることを特徴とする請求項１に記載の電子機器のＦＰＣＢ。
【請求項３】
前記第１圧着部には、前記折り畳み空間の形状が曲げられるように、多数個の突出部が形成されることを特徴とする請求項１に記載の電子機器のＦＰＣＢ。
【請求項４】
前記第２圧着部には、前記突出部に対応して挿入されると共に、前記折り畳み空間の形状が曲げられるように、多数個の挿入部が形成されることを特徴とする請求項１に記載の電子機器のＦＰＣＢ。
【請求項５】
前記第２圧着部には、前記突出部に対応して挿入されると共に、前記折り畳み空間の形状が曲げられるように、多数個の挿入部が形成されることを特徴とする請求項３に記載の電子機器のＦＰＣＢ。
【請求項６】
前記折り畳み空間の形状は、一方が突出されると、他方は挿入されるジグザグ状からなることを特徴とする請求項１に記載の電子機器のＦＰＣＢ。
【請求項７】
前記折り畳み空間のジグザグ状は、直線及び曲線からなることを特徴とする請求項１に記載の電子機器のＦＰＣＢ。
【請求項８】
印刷回路基板上に具備された回路基板コネクタと電気的に連結している回路側コネクタを備えたＦＰＣＢからなる電子機器のＦＰＣＢにおいて、
前記回路側コネクタには、少なくとも一つ以上の圧着部が具備され、
前記圧着部間の境界面には、前記回路基板コネクタに前記回路側コネクタを結合する時に発生する力により、前記圧着部のメッキ境界面の代わりに折り畳まれるように折り畳み部が設けられていることを特徴とする電子機器のＦＰＣＢ。
【発明の詳細な説明】
【技術分野】
【０００１】
本発明は電子機器のＦＰＣＢ(Ｆｌｅｘｉｂｌｅ  Ｐｒｉｎｔｅｄ  Ｃｉｒｃｕｉｔ  Ｂｏａｒｄ)に関し、特に、電子機器のＦＰＣＢにおいて、ＦＰＣＢに提供されたコネクタを結合する時に発生する力により折り畳まれるように折り畳み部を設けた電子機器のＦＰＣＢに関する。
【背景技術】
【０００２】
通常、“携帯用通信装置”とは、ユーザーが携帯しながら相手方と無線通信を行うことができる装置のことである。このような携帯用通信装置としては、ＨＨＰ、ＣＴ-２携帯電話、デジタルフォン、ＰＣＳフォン及びＰＤＡ等があり、外観によっても様々に分類される。例えば、無線端末機は、外観によってバータイプ、フリップタイプ又はフォルダタイプの無線端末機に分類される。バータイプの無線端末機は単一のハウジングがバー形態からなること、フリップタイプの無線端末機はバー形態のハウジングにヒンジ装置によりフリップやカバーが回転自在に構成されること、フォルダタイプの無線端末機は単一のバー形態のハウジングにフォルダがヒンジ装置により回転自在に連結して折り畳み可能であること、を意味する。
【０００３】
また、無線端末機は、開閉方式によって、回転式又はスライド式の無線端末機に分類することもできる。回転式の無線端末機は二つのハウジングが向き合いながら対面した状態で回転自在に連結して開閉されること、スライド式の無線端末機は二つのハウジングの一つが長手方向にスライドされて対面した状態で開閉されること、を意味する。上述した無線端末機は、当該分野における通常の知識を有した者であれば容易に理解できることであろう。一方、上述した従来の携帯用端末機は、必需的にアンテナ装置、データ入出力装置、データ送受信装置を具備すべきである。勿論、データ入力装置は、通常、指押しによりデータを入力できるキーボードが使用され、タッチパッドやタッチスクリーンが使用されることもできる。
【０００４】
また、通常、データ出力装置によるデータのディスプレイは液晶表示部(ＬＣＤ)を使用する。さらに、画像通話のために、従来の携帯用通信装置は撮影手段としてカメラレンズを備え、これにより相手方と画像通話をしたり、所望の被写体を撮影したりする。
【０００５】
ここで、図１に示すように、様々な形態の無線端末機のうち、スライド式の無線端末機１０を例として説明する。
【０００６】
スライド式の無線端末機１０は、所定の本体ハウジング２０上において、スライドハウジング３０が端末機の長手方向に一定にスライドされて開放されるもので、既存のフォルダ式の端末機に比べて、ユーザーの多様な好みに対応できる長所を持っている。
【０００７】
図１に示すように、スライド式の無線端末機１０は、本体ハウジング２０と、本体ハウジング２０を基準として、本体ハウジング２０の長さの１/２程度まで下側又は上側にスライドされて開放されるスライドハウジング３０とからなり、スライドハウジング３０の前面に、スライドキーボード３１、ディスプレイ機能を行う液晶表示部(ＬＣＤ)３２及びスピーカー装置３３が設けられ、本体ハウジング２０の前面に３x４の本体キーボード２１及びマイク装置２２が提供される。
【０００８】
このようなスライド式の無線端末機は、図２から図６に示すように、本体ハウジング２０内に印刷回路基板(ＰＣＢ)２４が設けられ、スライドハウジング３０内に液晶表示装置(ＬＣＤ)用印刷回路基板(ＰＣＢ)３４が設けられる。
【０００９】
図３及び図４に示すように、それぞれの印刷回路基板２４、３４を電気的に連結させる手段として、柔軟なプラスチック材質の薄板に微細回路が印刷されたＦＰＣＢ(４０)及び回路基板コネクタ５０が使用される。
【００１０】
ＦＰＣＢ(４０)は、印刷回路基板２４、３４を電気的に連結させて、それぞれの部品が互いに電源及び信号をやり取りできるようにするケーブルであって、通常、二つの部品の何れか一つが移動する場合、二つの部品の直接的連結が困難である場合に使用される。
【００１１】
図５に示すように、ＦＰＣＢ(４０)の両端には、印刷回路基板２４、３４に具備された回路基板コネクタ５０と電気的に連結している回路側コネクタ４１が具備されている。回路基板コネクタ５０に回路側コネクタ４１が連結していることで、各種信号の伝達がなされる。
【００１２】
図２及び図５に示すように、回路基板コネクタ５０には電気的に連結させる多数のピン４０ｅが提供され、ピン４０ｅとＦＰＣＢ(４０)の回路側コネクタ４１とが結合される。このとき、回路基板コネクタ５０には回路側コネクタ４１を挿入できるように開口５１が形成され、開口５１には異物質の侵入を防止するためのカバー５２が具備される。
【００１３】
図４に示すように、ＦＰＣＢ(４０)の回路側コネクタ４１の断面構造を説明すれば、ベースフィルム４０ａと、ベースフィルム４０ａ上に回路パターン４０ｂとが提供され、回路パターン４０ｂ上に保護フィルム４０ｄを接着剤４０ｃにて付着する。
【００１４】
このとき、回路側コネクタ４１は、ＦＰＣＢ(４０)に接着剤４０ｃを用いて電解銅で表面処理した圧着部６０を付着し、圧着部６０の一端には回路側コネクタ４１を屈曲させる圧着部のメッキ境界面７０が提供される。
【００１５】
圧着部６０は、保護フィルム４０ｄ上に層間接着剤６１を用いて電解銅からなる金属板６３を付着する。
【００１６】
しかしながら、従来の携帯端末機のＦＰＣＢは、図３から図６に示すように、回路側コネクタの圧着部と圧着部のメッキ境界面との境界面が一直線で提供されているため、回路基板コネクタにＦＰＣＢの回路側コネクタを結合する時、圧着部に力が加えられず、弱い部分である圧着部のメッキ境界面に力が加えられる。このとき、圧着部のメッキ境界面が折り畳みながら破損される恐れがあり、これにより、ＦＰＣＢの組立工程を低下させるという問題点があった。
【００１７】
前記問題点を補完するために、従来は、別途のシールドテープ(ｓｈｉｅｌｄ  ｔａｐｅ)やシールドフォーム(ｓｈｉｅｌｄ  ｆｏａｍ)等を圧着部と圧着部のメッキ境界面との境界面に付着することで破損を防止した。ところが、これは、シールドテープ及びシールドフォームを付着する組立工程を追加しなければならいため、時間及び製造費用が増加するという問題点があった。
【００１８】
また、回路基板コネクタとＦＰＣＢの回路側コネクタとを結合した後、スライドによる回路側コネクタの圧着部及び圧着部のメッキ境界面に応力集中が発生して、数回繰返してスライドすれば、回路側コネクタの圧着部及び圧着部のメッキ境界面に集中的に回転したり折り畳んだりして、クラック(ｃｒａｃｋ)が発生するという問題点があった。
【発明の開示】
【発明が解決しようとする課題】
【００１９】
よって、本発明は前記問題点を解決するためのもので、その目的は、電子機器のＦＰＣＢにおいて、ＦＰＣＢに提供されたコネクタを結合する時に発生する力により折り畳まれるように折り畳み部を構成することで、ＦＰＣＢに提供された圧着部のメッキ境界面の代わりに折り畳まれるようにして回路の破損を防止し、組立工程を向上させ、製品の不良率を低下できる、電子機器のＦＰＣＢを提供することにある。
【００２０】
本発明の他の目的は、電子機器のＦＰＣＢにおいて、ＦＰＣＢに提供されたコネクタを結合する時に発生する力により折り畳まれるように折り畳み部を構成することで、ＦＰＣＢに別途の回路破損防止部材が不要であるため、製品の製造費用を低減できる、電子機器のＦＰＣＢを提供することにある。
【課題を解決するための手段】
【００２１】
前記目的を達成するために、本発明は、印刷回路基板上に具備された回路基板コネクタと電気的に連結している回路側コネクタを備えたＦＰＣＢからなる電子機器のＦＰＣＢにおいて、前記回路側コネクタには、第１及び第２圧着部が具備され、前記第１及び第２圧着部間の境界面には、前記回路基板コネクタに前記回路側コネクタを結合する時に発生する力により、前記圧着部のメッキ境界面の代わりに折り畳まれるようにした折り畳み部が構成されることを特徴とする。
【発明の効果】
【００２２】
電子機器のＦＰＣＢは、折り畳み空間を持つ折り畳み部を構成することで、ＦＰＣＢの結合時に発生する力により、圧着部のメッキ境界面の代わりに折り畳まれるようにして、結合時に発生するＦＰＣＢの破損を防止し、組立工程を向上させ、製品の不良率を低下できる。
【発明を実施するための最良の形態】
【００２３】
以下、添付図面に基づき、本発明の好適な実施例を詳細に説明する。また、図面において、従来と同一の構成要素に対しては同じ符号を使用したことを留意すべきである。
【００２４】
電子機器１０の印刷回路基板２４、３４上には回路基板コネクタ５０が具備されているが、図７及び図８に示すように、回路基板コネクタ５０と電気的に連結する回路側コネクタ４１を備えたＦＰＣＢ(４０)が設けられている。
【００２５】
ＦＰＣＢ(４０)は、電解銅で表面処理した第１及び第２圧着部１００、２００を接着剤(図示せず)にて付着しており、第１圧着部１００に隣接した位置には圧着部のメッキ境界面７０が設けられている。
【００２６】
図９に示すように、第１及び第２圧着部１００、２００の境界面には、回路側コネクタ４１が回路基板コネクタ５０に結合される時に発生する力により、圧着部のメッキ境界面７０の代わりに折り畳まれるように折り畳み部３００が設けられ、折り畳み部３００には、曲げられて階段状にされる折り畳み空間３０１が形成される。
【００２７】
第１圧着部１００には、折り畳み空間３０１の形状が多数の方向に曲げられるように、後述する第２圧着部２００の挿入部と結合される多数個の突出部１０１が提供される。第２圧着部２００には、突出部１０１に対応して挿入されると共に、折り畳み空間３０１の形状が多数の方向に曲げられるように、多数個の挿入部２０１が提供される。
【００２８】
挿入部２０１は凹に挿入されており、突出部１０１は凸に突出されている。
【００２９】
折り畳み部３００の折り畳み空間３０１の形状は、一方が突出されると、他方は挿入されるジグザグ状からなる。
【００３０】
折り畳み空間３０１のジグザグ状は、直線及び曲線からなる。
【００３１】
上述した構成を持つ本発明の好適な一実施例による電子機器のＦＰＣＢの動作過程を、図７から図９を参照してより詳細に説明する。
【００３２】
図７及び図８に示すように、電子機器のＦＰＣＢ(４０)の一端には第１及び第２圧着部１００、２００が構成され、第１圧着部１００には多数個の突出部１０１が突設される。
【００３３】
第１圧着部１００の隣接する位置には、圧着部のメッキ境界面７０が提供される。
【００３４】
このような状態で、回路側コネクタ４１に提供される第２圧着部２００には、突出部１０１に対応して結合された多数個の挿入部２０１が提供されるので、挿入部２０１に突出部１０１を互いに対応するように結合させる。
【００３５】
このとき、第１圧着部１００と第２圧着部２００との境界面には、折り畳み空間３０１を持つ折り畳み部３００が構成される。
【００３６】
折り畳み空間３０１は、階段状に多数の方向に曲げられて提供される。
【００３７】
このような状態で、ＦＰＣＢ(４０)の回路側コネクタ４１を印刷回路基板２４、３４のコネクタ５０に電気的に結合する。
【００３８】
このとき、図９に示すように、回路側コネクタ４１は、折り畳み部３００の折り畳み空間３０１により結合される時に発生する力により、圧着部のメッキ境界面７０の代わりに折り畳まれる。
【００３９】
このとき、結合される時に発生する力が、圧着部のメッキ境界面７０には伝達されず、折り畳み部３００の折り畳み空間３０１に伝達されることで、圧着部のメッキ境界面７０の破損を防止できる。
【００４０】
なお、本発明の詳細な説明では具体的な実施例について説明したが、本発明の要旨から逸脱しない範囲内で多様に変形できる。よって、本発明の範囲は、前述の実施例に限定されるものではなく、特許請求の範囲の記載及びこれと均等なものに基づいて定められるべきである。例えば、本発明は携帯可能な全ての端末機に適用できる。
【図面の簡単な説明】
【００４１】
【図１】従来のスライド式の携帯端末機の斜視図である。
【図２】従来のスライド式の携帯端末機の印刷回路基板上に具備されたコネクタを示す斜視図である。
【図３】従来のスライド式の携帯端末機のＦＰＣＢの回路側コネクタを示す平面図である。
【図４】従来のスライド式の携帯端末機のＦＰＣＢの回路側コネクタを示す断面図である。
【図５】従来のスライド式の携帯端末機のＦＰＣＢの回路側コネクタを回路基板コネクタに結合させる状態を示す斜視図である。
【図６】従来のスライド式の携帯端末機のＦＰＣＢの回路側コネクタを回路基板コネクタに結合させる状態を示す側面図である。
【図７】本発明の一実施例による電子機器のＦＰＣＢの構成の結合状態を示す斜視図である。
【図８】本発明の一実施例による電子機器のＦＰＣＢの構成の結合状態を示す平面図である。
【図９】本発明の一実施例による電子機器のＦＰＣＢの使用状態を示す側面図である。
【符号の説明】
【００４２】
４０  ＦＰＣＢ
４１  回路側コネクタ
７０  メッキ境界面
１００  第１圧着部
２００  第２圧着部
【図１】
2006344950.tif 000003
【図２】
2006344950.tif 000004
【図３】
2006344950.tif 000005
【図４】
2006344950.tif 000006
【図５】
2006344950.tif 000007
【図６】
2006344950.tif 000008
【図７】
2006344950.tif 000009
【図８】
2006344950.tif 000010
【図９】
2006344950.tif 000011